(57)【要約】【課題】空間を占めることなく携帯および使用の便利をはかることが可能なオーディオプラグを提供する。【解決手段】  筒形体１０は、一端が導電機能を有する第一導電部１１となり、他端に第一導電部１１と絶縁する第一絶縁部１２が設けられている。発光ユニット２０は、筒形体１０内に収容されており、基板２１、基板２１に配置されている発光部２２、および、基板２１の底面に配置されている接続ピン２３をモジュール化することによって形成されている。光学レンズ２４は、筒形体１０内に装着されている。ヘッド部３０は、第二導電部３６、一端に形成されている錐状体３１、他端に形成されている連結部３２、および、第二絶縁部３３を有する。キャップ４０は、筒形体１０の他端に形成されている後方開口部に固定されている。【選択図】  図２
0003182760.tif 000002
【実用新案登録請求の範囲】
【請求項１】
形およびサイズが３．５ｍｍオーディオジャックの規格に対応する３．５ｍｍオーディオプラグであって、
筒形体、発光ユニット、光学レンズ、ヘッド部、およびキャップを備え、
前記筒形体は、最大筒外径が３．５ｍｍであり、導電性材質から形成されており、一端が導電機能を有する第一導電部となり、他端に前記第一導電部と絶縁する第一絶縁部が設けられており、
前記発光ユニットは、前記筒形体内に収容されており、基板、当該基板に配置されている発光部、および前記基板の底面に配置されている接続ピンをモジュール化することによって形成されており、
前記光学レンズは、前記筒形体内に装着されており、前記発光ユニットの前記発光部の前記筒形体の他端側に位置し、
前記ヘッド部は、第二導電部、一端に形成されている錐状体、他端に形成されており前記筒形体の一端に形成されている前方開口部に嵌合可能な連結部、および、前記錐状体と前記連結部との間に形成されている第二絶縁部を有し、前記連結部が前記筒形体の前方開口部に嵌合するとき、前記第二導電部と前記接続ピンとが電気的に接続され、前記第一導電部と前記錐状体とが前記第二絶縁部により絶縁され、
前記キャップは、前記筒形体の他端に形成されている後方開口部に固定され、
所定の電子製品の３．５ｍｍオーディオジャックに差し込まれる際、前記発光ユニットに電力が供給されることを特徴とするオーディオプラグ。
【請求項２】
前記発光ユニットは、レーザー発光ダイオード（ＬＤ）または発光ダイオード（ＬＥＤ）であることを特徴とする請求項１に記載のオーディオプラグ。  
【請求項３】
前記筒形体の前記第一絶縁部は、ゴムまたはプラスチック材から形成されており、筒外径が３．５ｍｍ以下であり、
前記光学レンズは、前記第一絶縁部の内部に固定されていることを特徴とする請求項１に記載のオーディオプラグ。
【請求項４】
前記第二絶縁部および前記光学レンズは、射出成形によって一体に形成されている、または、別々に作られてから一体に組付けられていることを特徴とする請求項３に記載のオーディオプラグ。  
【請求項５】
前記ヘッド部の前記錐状体は、径方向の両側に軸方向に形成されている二つの絶縁体、および、二つの前記絶縁体の間に形成されている隙間を有し、
前記第二導電部は板状であり、前記隙間の中に固定されていることを特徴とする請求項１に記載のオーディオプラグ。
【請求項６】
前記キャップは、径方向の一端にＣ字状のクリップが形成されていることを特徴とする請求項１に記載のオーディオプラグ。  
【請求項７】
前記電子製品は、スマートフォンであり、当該スマートフォンは内蔵アプリケーションを有することを特徴とする請求項１に記載のオーディオプラグ。
【考案の詳細な説明】
【技術分野】
【０００１】
本考案は、オーディオプラグに関し、詳しくは、光源内蔵型３．５ｍｍオーディオプラグに関する。
【背景技術】
【０００２】
コンピューターおよび通信情報技術の迅速な発展に伴い、３Ｃ電子製品が普及している。特に携帯電話は現今の人々が必ず持っている装置の一つである。それに対し、業者は使用上の利便性および実用性をユーザーに体感させるため、様々な機能を有する新しい携帯電話を発表している。特にスマートフォンは、市場の主流となり、アプリケーションが豊富であるため、多くのユーザーに好まれている。
【考案の概要】
【考案が解決しようとする課題】
【０００３】
一方、ビジネスマンがブリーフィングを行う、または、学校の先生が授業を行う際、レーザーポインタはよく使用されている。一部のレーザーポインタは、投影機能に対応するため、マウスまたは調整キーを備えることが必要であるが、体積を増大させ、携帯に不便になる問題を免れることができない。
【０００４】
図１Ａおよび図１Ｂに示すように、市販の多機能レーザーポインタ９０は、携帯電話７０のヘッドフォンジャック６０（オーディオジャック）に差し込まれ、使用される。このようなレーザーポインタ９０は、オーディオプラグ８０がオーディオジャック６０に差し込まれ、本体がオーディオジャック６０の上方の少なくとも４ｃｍから５ｃｍまで突出するため、空間を占め、携帯に不便であるだけでなく、美観を損なう。一方、従来のレーザーポインタ９０がオーディオジャック６０に差し込まれる際、オーディオプラグ８０の規格とヘッドフォン１００のオーディオプラグ１０１の規格とは一致しないため、第一絶縁層８５、第二絶縁層８６および第三絶縁層８７によってオーディオプラグ８０を分割して形成した第一導電部８１、第二導電部８２、第三導電部８３および第四導電部８４はそれぞれオーディオジャック６０内の所定位置の第一端子６１、第二端子６２、第三端子６３および第四端子６４に差し込まれ、電気的接続および導通を進める。しかし、このとき携帯電話７０はスピーカー７１から着信音などの音声を発することができなくなる。これも従来のレーザーポインタ９０の問題の一つである。
従って、上述した問題を克服することが本考案の課題となる。
【０００５】
本考案は、上述の問題に鑑みてなされたものであり、発光ユニットがオーディオジャック（ヘッドフォンジャック）の奥に入り込み、発光孔のみをオーディオジャックに露出させることによって空間を占めることなく携帯および使用の便利をはかることが可能なオーディオプラグを提供することを主な目的とする。
【０００６】
本考案は、オーディオジャックに差し込まれても電子製品の音声をスピーカーから正常に出力することを妨害したり、着信を遮断したり電子製品の正常な機能に干渉したりしないことが可能なオーディオプラグを提供することをもう一つの目的とする。
【課題を解決するための手段】
【０００７】
上述した目的を達成するために、本考案によるオーディオプラグは、形およびサイズが３．５ｍｍオーディオジャックの規格に対応する３．５ｍｍオーディオプラグであって、筒形体、発光ユニット、光学レンズ、ヘッド部、およびキャップを備える。
筒形体は、導電性材質から形成されており、一端が導電機能を有する第一導電部となり、他端に第一導電部と絶縁する第一絶縁部が設けられており、筒外径がψ３．５ｍｍである。
発光ユニットは、筒形体内に収容されており、基板、基板に配置されている発光部、および、基板の底面に配置されている接続ピンをモジュール化することによって形成されている。
光学レンズは、筒形体内に装着されており、発光ユニットの発光部の筒形体の他端側に位置する。
ヘッド部は、第二導電部、一端に形成されている錐状体、他端に形成されており筒形体の一端に形成されている前方開口部に嵌合可能な連結部、および、錐状体と連結部との間に形成されている第二絶縁部を有する。連結部が筒形体の前方開口部に嵌合するとき、第二導電部と接続ピンとが電気的に接続され、第一導電部と錐状体とが第二絶縁部により絶縁される。
キャップは、筒形体の他端に形成されている後方開口部に固定される。
所定の電子製品の３．５ｍｍオーディオジャックに差し込まれる際、発光ユニットに電力が供給される。
【図面の簡単な説明】
【０００８】
【図１Ａ】従来のレーザーポインタおよび携帯電話を示す斜視図である。
【図１Ｂ】従来のレーザーポインタおよびオーディオジャックを示す断面図である。
【図２】本考案の一実施形態によるオーディオプラグを示す分解斜視図である。
【図３】本考案の一実施形態によるオーディオプラグを示す斜視図である。
【図４】本考案の一実施形態によるオーディオプラグがオーディオジャックに差し込まれた状態を示す平面図である。
【図５Ａ】本考案の一実施形態によるオーディオプラグがオーディオジャックに差し込まれ、電源オフの状態を示す平面図である。
【図５Ｂ】本考案の一実施形態によるオーディオプラグがオーディオジャックに差し込まれ、電源オンの状態を示す平面図である。
【図６Ａ】図５Ａの６Ａ−６Ａ線断面図である。
【図６Ｂ】図５Ｂの６Ｂ−６Ｂ線断面図である。
【図７】本考案の一実施形態によるオーディオプラグの使用状態を示す模式図である。
【考案を実施するための形態】
【０００９】
（一実施形態）
以下、本考案の一実施形態によるオーディオプラグを図面に基づいて説明する。
図２から図７に示すように、本考案の一実施形態によるオーディオプラグ５０は、電子製品の３．５ｍｍオーディオジャック６０との接続に適用されている。本実施形態において電子製品は携帯電話７０であるが、これに限らない。オーディオプラグ５０は、筒形体１０、発光ユニット２０、光学レンズ２４、ヘッド部３０、キャップ４０を備える。
【００１０】
筒形体１０は、導電性材質から形成され、一端が導電機能を有する第一導電部１１となり、他端に第一導電部１１と絶縁する第一絶縁部１２が設けられており、筒外径ψが３．５ｍｍである。本実施形態において筒形体１０の第一絶縁部１２はゴムまたはプラスチック材から形成され、内部が中空である筒状であり、筒外径ψが３．５ｍｍ以下である。
【００１１】
発光ユニット２０は、基板２１、基板２１の頂面に配置された発光部２２、および、基板２１の底面に配置された接続ピン２３をモジュール化することによって形成され、筒形体１０内に収容されている。本実施形態において発光ユニット２０は、レーザー発光ダイオード（ＬＤ）または発光ダイオード（ＬＥＤ）である。発光ユニット２０の基板２１は筒形体１０の第一導電部１１に電気的に接続されている。
【００１２】
光学レンズ２４は、筒形体１０の第一絶縁部１２内に装着され、かつ発光ユニット２０の発光部２２の筒形体１０の他端側に位置している。
【００１３】
ヘッド部３０は、第二導電部３６、一端に形成されている錐状体３１、他端に形成されており筒形体１０の一端に形成されている前方開口部１３に嵌合嵌合可能な連結部３２、および、錐状体３１と連結部３２との間に形成されている第二絶縁部３３を有する。ヘッド部３０は、連結部３２が筒形体１０の前方開口部１３内に嵌合されるとき、錐状体３１が筒形体１０の一端側に突出し、突出しているサイズおよび長さが３．５ｍｍオーディオプラグの規格に対応している。第二絶縁部３３は第一導電部１１と錐状体３１を絶縁する。本実施形態では、錐状体３１は、導電性材質により形成され、径方向の両側に軸方向に形成されている二つの絶縁体３４を有し、二つの絶縁体３４の間の隙間３５に第二導電部３６が設けられている。第二導電部３６と発光ユニット２０の接続ピン２３とは電気的に接続されている。第二導電部３６は板状を呈し、隙間３５の中に固定されている。以上は本考案の比較的好ましい実施形態であるが、本考案はこれに限らない。
【００１４】
キャップ４０は、筒形体１０の他端に形成されている後方開口部１４に固定され、発光孔４１を有する。本実施形態では、需要に応じ、キャップ４０を所定の形に形成することができる。キャップ４０の側辺にはＣ字型クリップ４２が設けられている。Ｃ字型クリップ４２によって図１Ａに示したヘッドフォンのコードにオーディオプラグ５０を挟むことができるため、保管および使用に便利である。
【００１５】
オーディオプラグ５０は、所定の電子製品の３．５ｍｍオーディオジャック６０内に差し込まれ、第二導電部３６および第一導電部１１がオーディオジャック６０内の所定位置の第一端子６１および第二端子６２に接触し、電流が導通する（ＯＮになる）ことによって発光ユニット２０に電力が供給される。一方、第一絶縁部１２はオーディオジャック６０内の第一端子６１および第二端子６２以外の端子、例えば本実施形態の第三端子６３および第四端子６４に接触し、電流の導通が遮断される。このときオーディオプラグ５０はオーディオジャック６０を介して給電されることができるだけでなく、オーディオジャック６０からの音声出力を遮断することができ、携帯電話７０は依然としてスピーカー７１から音声を正常に出力することができる。
【００１６】
スマートフォン７０は、アプリケーションを内蔵したタッチポイント７２によって操作を進めることができる。
【００１７】
上述した技術手段により、本考案の効果は次の通りである。
一、本考案は、オーディオプラグ５０の形状およびサイズが３．５ｍｍオーディオジャック６０の規格に対応するため、電子製品の現有の３．５ｍｍオーディオジャック６０に適用できる互換性を有する。一方、オーディオプラグ５０はキャップ４０の発光孔４１以外の付属品がオーディオジャック６０の奥に入り込こまれ、携帯電話７０と一体になるため、突起状管体を呈することなく美観を保つことができるだけでなく、携帯および使用の便利をはかることができる。
【００１８】
二、オーディオプラグ５０がオーディオジャック６０に差し込まれ、図５Ａおよび図６Ａに示した位置に位置する際、オーディオプラグ５０は給電されない（ＯＦＦになる）。つまりオーディオジャック６０内の第一端子６１はオーディオプラグ５０の絶縁体３４に接触するため、第一端子６１と第二端子６２によって導電回路を構成することができない。一方、第三端子６３および第四端子６４は第一絶縁体１２に接触する。このとき、オーディオプラグ５０がオーディオジャック６０に差し込まれても、携帯電話７０の音声はオーディオジャック６０でなく、スピーカー７１から正常に出力されるため、携帯電話７０の正常な受話および使用が妨害されることはない。
【００１９】
三、図５Ｂおよび図６Ｂに示すように、オーディオプラグ５０を９０度回すと、第二導電部３６および第一導電部１１はそれぞれ第一端子６１および第二端子に電気的に接触し、電流が導通する（ＯＮになる）。このとき発光ユニット２０は接続ピン２３を介して電流が供給され、発光部２２のＬＤまたはＬＥＤが発光し、続いて発光孔４１から光が投射されることによってペンライトまたはレーザーポインタの機能を果たすことができる。このため、図７に示すようにブリーフィングまたは授業に非常に便利である。
【００２０】
上述したとおり、本考案は、携帯電話などの電子製品の現有の３．５ｍｍオーディオジャック６０にオーディオプラグ５０を差し込み、ヘッドフォンジャックにＬＤまたはＬＥＤを隠すことができるため、従来の外付けレーザーポインタの問題を解決することができる。
以上、本考案は、上記実施形態になんら限定されるものではなく、考案の趣旨を逸脱しない範囲において種々の形態で実施可能である。
【符号の説明】
【００２１】
１０：筒形体、  
１１：第一導電部、  
１２：第一絶縁部、  
１３：前方開口部、  
１４：後方開口部、  
２０：発光ユニット、  
２１：基板、  
２２：発光部、  
２３：接続ピン、  
２４：光学レンズ、  
３０：ヘッド部、  
３１：錐状体、  
３２：連結部、  
３３：第二絶縁部、  
３４：絶縁体、  
３５：隙間、  
３６：第二導電部、  
４０：キャップ、  
４１：発光孔、  
４２：Ｃ字型クリップ、  
５０：オーディオプラグ、  
６０：オーディオジャック、  
６１：第一端子、  
６２：第二端子、  
６３：第三端子、  
６４：第四端子、  
７０：携帯電話、  
７１：スピーカー、  
７２：タッチポイント。
【図１Ａ】
0003182760.tif 000003
【図１Ｂ】
0003182760.tif 000004
【図２】
0003182760.tif 000005
【図３】
0003182760.tif 000006
【図４】
0003182760.tif 000007
【図５Ａ】
0003182760.tif 000008
【図５Ｂ】
0003182760.tif 000009
【図６Ａ】
0003182760.tif 000010
【図６Ｂ】
0003182760.tif 000011
【図７】
0003182760.tif 000012